【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
暗号化コンテンツに対して処理を施す情報処理装置において、
前記暗号化コンテンツのうちの少なくとも一部のムーブ元からムーブ先へのムーブアウトを実現させる処理として、
それぞれ相異なる連番が付された複数の暗号化単位コンテンツから構成される前記暗号化コンテンツを生成し、前記暗号化コンテンツを特定して再生可能とするために必要なデータを特定情報として生成する生成処理と、
前記生成処理により生成された前記暗号化コンテンツの中から、前記暗号化単位コンテンツを単位としてムーブ対象範囲を決定するムーブ範囲決定処理と、
前記ムーブ範囲決定処理により決定された前記ムーブ対象範囲に含まれる１以上の前記暗号化単位コンテンツのそれぞれに付された前記連番を示す連番情報と、前記生成処理により生成された前記特定情報との組を、コンテンツ情報として前記ムーブ元において保持させる保持処理と、
前記生成処理により生成された前記暗号化コンテンツのうちの、前記ムーブ範囲決定処理により決定された前記ムーブ対象範囲の部分を、前記生成処理により生成された前記特定情報とともに、前記ムーブ先にコピーするコピー処理と、
前記生成処理により生成された前記暗号化コンテンツのうちの、少なくとも、前記ムーブ範囲決定処理により決定された前記ムーブ対象範囲の部分に対して、前記ムーブ元における状態を不活性状態にする不活性化処理と
を所定の順番で個別に実行することを制御する制御手段
を備える情報処理装置。
【請求項２】
前記制御手段は、前記不活性化処理の制御として、前記生成処理により生成された前記暗号化コンテンツのうちの、前記ムーブ範囲決定処理により決定された前記ムーブ対象範囲の部分のみに対して、前記ムーブ元における状態を前記不活性状態にする制御を行う
請求項１に記載の情報処理装置。
【請求項３】
前記制御手段は、さらに、前記ムーブ先から前記ムーブ元へのムーブバックを実現させる処理として、
前記保持処理により前記ムーブ元において保持されている前記コンテンツ情報と、前記ムーブ先における前記暗号化コンテンツと前記特定情報とから得られる情報との照合を行う照合処理と、
前記照合処理による前記照合の成功後、前記ムーブ先における前記暗号化コンテンツと前記特定情報とを消去する消去処理と、
前記照合処理による前記照合の成功後、前記生成処理により生成された前記暗号化コンテンツのうちの、前記ムーブ先における前記暗号化コンテンツに対応する範囲に対して、前記ムーブ元における状態を活性状態にする活性化処理と
を所定の順番で個別に実行することを制御する
請求項２に記載の情報処理装置。
【請求項４】
前記制御手段は、前記不活性化処理の制御として、前記生成処理により生成された前記暗号化コンテンツ全体に対して、前記ムーブ元における状態を前記不活性状態にする制御を行う
請求項１に記載の情報処理装置。
【請求項５】
前記制御手段は、さらに、前記ムーブ先から前記ムーブ元へのムーブバックを実現させる処理として、
前記保持処理により前記ムーブ元において保持されている前記コンテンツ情報と、前記ムーブ先における前記暗号化コンテンツと前記特定情報とから得られる情報との照合を行う照合処理と、
前記照合処理による前記照合の成功後、前記ムーブ先における前記暗号化コンテンツと前記特定情報とを消去する消去処理と、
前記照合処理による前記照合の成功後、前記ムーブ先における前記暗号化コンテンツに対応する範囲がムーブバックされることで前記生成処理手段部により生成された前記暗号化コンテンツ全体がムーブバックされることになる場合、前記生成処理手段部により生成された前記暗号化コンテンツ全体に対して前記ムーブ元における状態を活性状態にし、それ以外の場合、前記生成処理により生成された前記暗号化コンテンツのうちの、前記ムーブ先における前記暗号化コンテンツに対応する範囲に対して再生権利を戻す活性化処理
を所定の順番で個別に実行することを制御する
請求項４に記載の情報処理装置。
【請求項６】
前記不活性状態とは、再生不可状態である
請求項１に記載の情報処理装置。
【請求項７】
暗号化コンテンツに対して処理を施す情報処理装置の情報処理方法において、
前記暗号化コンテンツのうちの少なくとも一部のムーブ元からムーブ先へのムーブアウトを実現させるムーブアウトステップとして、
それぞれ相異なる連番が付された複数の暗号化単位コンテンツから構成される前記暗号化コンテンツを生成し、前記暗号化コンテンツを特定して再生可能とするために必要なデータを特定情報として生成する生成ステップと、
前記生成ステップの処理で生成された前記暗号化コンテンツの中から、前記暗号化単位コンテンツを単位としてムーブ対象範囲を決定するムーブ範囲決定ステップと、
前記ムーブ範囲決定ステップの処理で決定された前記ムーブ対象範囲に含まれる１以上の前記暗号化単位コンテンツのそれぞれに付された前記連番を示す連番情報と、前記生成ステップの処理で生成された前記特定情報との組を、コンテンツ情報として前記ムーブ元において保持させる保持ステップと、
前記生成ステップの処理で生成された前記暗号化コンテンツのうちの、前記ムーブ範囲決定ステップの処理で決定された前記ムーブ対象範囲の部分を、前記生成ステップの処理で生成された前記特定情報とともに、前記ムーブ先にコピーするコピーステップと、
前記生成ステップの処理で生成された前記暗号化コンテンツのうちの、少なくとも、前記ムーブ範囲決定ステップの処理で決定された前記ムーブ対象範囲の部分に対して、前記ムーブ元における状態を不活性状態にする不活性化ステップと
を含み、
前記情報処理装置が、前記ムーブアウトステップに含まれる各ステップの処理を所定の順番で個別に実行することを制御する情報処理方法。
【請求項８】
暗号化コンテンツに対する制御を行うコンピュータに実行させるプログラムであって、
前記暗号化コンテンツのうちの少なくとも一部のムーブ元からムーブ先へのムーブアウトを実現させるムーブアウトステップとして、
それぞれ相異なる連番が付された複数の暗号化単位コンテンツから構成される前記暗号化コンテンツを生成し、前記暗号化コンテンツを特定して再生可能とするために必要なデータを特定情報として生成する生成ステップと、
前記生成ステップの処理で生成された前記暗号化コンテンツの中から、前記暗号化単位コンテンツを単位としてムーブ対象範囲を決定するムーブ範囲決定ステップと、
前記ムーブ範囲決定ステップの処理で決定された前記ムーブ対象範囲に含まれる１以上の前記暗号化単位コンテンツのそれぞれに付された前記連番を示す連番情報と、前記生成ステップの処理で生成された前記特定情報との組を、コンテンツ情報として前記ムーブ元において保持させる保持ステップと、
前記生成ステップの処理で生成された前記暗号化コンテンツのうちの、前記ムーブ範囲決定ステップの処理で決定された前記ムーブ対象範囲の部分を、前記生成ステップの処理で生成された前記特定情報とともに、前記ムーブ先にコピーするコピーステップと、
前記生成ステップの処理で生成された前記暗号化コンテンツのうちの、少なくとも、前記ムーブ範囲決定ステップの処理で決定された前記ムーブ対象範囲の部分に対して、前記ムーブ元における状態を不活性状態にする不活性化ステップと
を含み、
前記コンピュータが、前記ムーブアウトステップに含まれる各ステップの処理を所定の順番で個別に実行することを制御するプログラム。
【手続補正２】
【補正対象書類名】明細書
【補正対象項目名】００１４
【補正方法】変更
【補正の内容】
【００１４】
即ち、暗号化コンテンツ１１から直接的に暗号化部分１１−１乃至１１−２を抽出することはできないので、ムーブ元機器１は、暗号化コンテンツ１１全体に対して、鍵情報Ａを利用した復号処理を施す。これにより、暗号化コンテンツ１１は、無暗号化コンテンツに一旦戻ることになる。
【手続補正３】
【補正対象書類名】明細書
【補正対象項目名】００３１
【補正方法】変更
【補正の内容】
【００３１】
本発明の一側面の情報処理装置は、暗号化コンテンツのうちの少なくとも一部のムーブ元からムーブ先へのムーブアウトを実現させる処理として、それぞれ相異なる連番が付された複数の暗号化単位コンテンツから構成される前記暗号化コンテンツを生成し、前記暗号化コンテンツを特定して再生可能とするために必要なデータを特定情報として生成する生成処理と、前記生成処理により生成された前記暗号化コンテンツの中から、前記暗号化単位コンテンツを単位としてムーブ対象範囲を決定するムーブ範囲決定処理と、前記ムーブ範囲決定処理により決定された前記ムーブ対象範囲に含まれる１以上の前記暗号化単位コンテンツのそれぞれに付された前記連番を示す連番情報と、前記生成処理により生成された前記特定情報との組を、コンテンツ情報として前記ムーブ元において保持させる保持処理と、前記生成処理により生成された前記暗号化コンテンツのうちの、前記ムーブ範囲決定処理により決定された前記ムーブ対象範囲の部分を、前記生成処理により生成された前記特定情報とともに、前記ムーブ先にコピーするコピー処理と、前記生成処理により生成された前記暗号化コンテンツのうちの、少なくとも、前記ムーブ範囲決定処理により決定された前記ムーブ対象範囲の部分に対して、前記ムーブ元における状態を不活性状態にする不活性化処理とを所定の順番で個別に実行することを制御する制御手段を備える。
【手続補正４】
【補正対象書類名】明細書
【補正対象項目名】００３５
【補正方法】変更
【補正の内容】
【００３５】
前記制御手段は、さらに、前記ムーブ先から前記ムーブ元へのムーブバックを実現させる処理として、前記保持処理により前記ムーブ元において保持されている前記コンテンツ情報と、前記ムーブ先における前記暗号化コンテンツと前記特定情報とから得られる情報との照合を行う照合処理と、前記照合処理による前記照合の成功後、前記ムーブ先における前記暗号化コンテンツと前記特定情報とを消去する消去処理と、前記照合処理による前記照合の成功後、前記ムーブ先における前記暗号化コンテンツに対応する範囲がムーブバックされることで前記生成処理手段により生成された前記暗号化コンテンツ全体がムーブバックされることになる場合、前記生成処理手段により生成された前記暗号化コンテンツ全体に対して前記ムーブ元における状態を活性状態にし、それ以外の場合、前記生成処理により生成された前記暗号化コンテンツのうちの、前記ムーブ先における前記暗号化コンテンツに対応する範囲に対して再生権利を戻す活性化処理を所定の順番で個別に実行することを制御する。
前記不活性状態とは、再生不可状態である。
【手続補正５】
【補正対象書類名】明細書
【補正対象項目名】００３６
【補正方法】変更
【補正の内容】
【００３６】
本発明の一側面の情報処理方法は、暗号化コンテンツのうちの少なくとも一部のムーブ元からムーブ先へのムーブアウトを実現させるムーブアウトステップとして、それぞれ相異なる連番が付された複数の暗号化単位コンテンツから構成される前記暗号化コンテンツを生成し、前記暗号化コンテンツを特定して再生可能とするために必要なデータを特定情報として生成する生成ステップと、前記生成ステップの処理で生成された前記暗号化コンテンツの中から、前記暗号化単位コンテンツを単位としてムーブ対象範囲を決定するムーブ範囲決定ステップと、前記ムーブ範囲決定ステップの処理で決定された前記ムーブ対象範囲に含まれる１以上の前記暗号化単位コンテンツのそれぞれに付された前記連番を示す連番情報と、前記生成ステップの処理で生成された前記特定情報との組を、コンテンツ情報として前記ムーブ元において保持させる保持ステップと、前記生成ステップの処理で生成された前記暗号化コンテンツのうちの、前記ムーブ範囲決定ステップの処理で決定された前記ムーブ対象範囲の部分を、前記生成ステップの処理で生成された前記特定情報とともに、前記ムーブ先にコピーするコピーステップと、前記生成ステップの処理で生成された前記暗号化コンテンツのうちの、少なくとも、前記ムーブ範囲決定処理により決定された前記ムーブ対象範囲の部分に対して、前記ムーブ元における状態を不活性状態にする不活性化ステップとを含み、情報処理装置が、ムーブアウトステップに含まれる各ステップの処理を所定の順番で個別に実行することを制御する。
【手続補正６】
【補正対象書類名】明細書
【補正対象項目名】００３８
【補正方法】変更
【補正の内容】
【００３８】
本発明の一側面の情報処理装置および方法並びにプログラムにおいては、暗号化コンテンツのうちの少なくとも一部のムーブ元からムーブ先へのムーブアウトを実現させるムーブアウト処理として、次の各処理が所定の順番で個別に実行される。即ち、それぞれ相異なる連番が付された複数の暗号化単位コンテンツから構成される前記暗号化コンテンツを生成し、前記暗号化コンテンツを特定して再生可能とするために必要なデータを特定情報として生成する生成処理と、前記生成処理により生成された前記暗号化コンテンツの中から、前記暗号化単位コンテンツを単位としてムーブ対象範囲を決定するムーブ範囲決定処理と、前記ムーブ範囲決定処理により決定された前記ムーブ対象範囲に含まれる１以上の前記暗号化単位コンテンツのそれぞれに付された前記連番を示す連番情報と、前記生成処理により生成された前記特定情報との組を、コンテンツ情報として前記ムーブ元において保持させる保持処理と、前記生成処理により生成された前記暗号化コンテンツのうちの、前記ムーブ範囲決定処理により決定された前記ムーブ対象範囲の部分を、前記生成処理により生成された前記特定情報とともに、前記ムーブ先にコピーするコピー処理と、前記生成処理により生成された前記暗号化コンテンツのうちの、少なくとも、前記ムーブ範囲決定処理により決定された前記ムーブ対象範囲の部分に対して、前記ムーブ元における状態を不活性状態にする不活性化処理とが、所定の順番で個別に実行される。
【手続補正７】
【補正対象書類名】明細書
【補正対象項目名】００４１
【補正方法】変更
【補正の内容】
【００４１】
本発明の一側面の情報処理装置（例えば図１１のムーブ元機器１０１）は、
暗号化コンテンツに対して処理を施す情報処理装置であって、
前記暗号化コンテンツのうちの少なくとも一部のムーブ元（例えば図１１のムーブ元機器１０１の記憶部３０６等）からムーブ先（例えば図１１のムーブ先機器２−Ａまたは２−Ｂ）へのムーブアウトを実現させる処理として、
それぞれ相異なる連番が付された複数の暗号化単位コンテンツ（例えば図４の例では、連番「ｋ」が付された暗号化単位コンテンツ１３１−ｋ）から構成される前記暗号化コンテンツ（例えば図４の暗号化コンテンツ１２１）を生成し、前記暗号化コンテンツを特定して再生可能とするために必要なデータを特定情報（例えば図４の特定情報１２２）として生成する生成処理と、
前記生成処理により生成された前記暗号化コンテンツの中から、前記暗号化単位コンテンツを単位としてムーブ対象範囲（例えば図７の例では、ムーブ先機器２−Ａに対するムーブ対象範囲は暗号化部分１２１−１であり、ムーブ先機器２−Ｂに対するムーブ対象範囲は暗号化部分１２１−２である）を決定するムーブ範囲決定処理と、
前記ムーブ範囲決定処理により決定された前記ムーブ対象範囲に含まれる１以上の前記暗号化単位コンテンツのそれぞれに付された前記連番を示す連番情報と、前記生成処理により生成された前記特定情報との組を、コンテンツ情報（例えば図７の例では、連番情報１５１−Ａと特定情報１２２とからなるコンテンツ情報１４１−Ａや、連番情報１５１−Ｂと特定情報１２２とからなるコンテンツ情報１４１−Ｂ）として前記ムーブ元において保持させる保持処理と、
前記生成処理により生成された前記暗号化コンテンツのうちの、前記ムーブ範囲決定処理により決定された前記ムーブ対象範囲の部分を、前記生成処理により生成された前記特定情報とともに、前記ムーブ先にコピーするコピー処理（例えば図７の例では、暗号化部分１２１−１と特定情報１２２との組をムーブ先機器２−Ａにコピーして、また、暗号化部分１２１−２と特定情報１２２との組をムーブ先機器２−Ｂにコピーする処理）と、
前記生成処理により生成された前記暗号化コンテンツのうちの、少なくとも、前記ムーブ範囲決定処理により決定された前記ムーブ対象範囲の部分に対して、前記ムーブ元における状態を不活性状態にする不活性化処理（例えば図７の例では、暗号化部分１２１−１と、暗号化部分１２１−２とを不活性状態にする処理。なお、図７の例では、不活性状態は灰色で示され、活性状態は白色で示されている）と
を所定の順番で個別に実行することを制御する制御手段（例えば図１１の制御部３０１）
を備える。
【手続補正８】
【補正対象書類名】明細書
【補正対象項目名】００４６
【補正方法】変更
【補正の内容】
【００４６】
本発明の一側面の情報処理方法は、
暗号化コンテンツに対して処理を施す情報処理装置（例えば図１１のムーブ元機器１０１）の情報処理方法であって、
前記暗号化コンテンツのうちの少なくとも一部のムーブ元からムーブ先へのムーブアウトを実現させるムーブアウトステップとして、
それぞれ相異なる連番が付された複数の暗号化単位コンテンツから構成される前記暗号化コンテンツを生成し、前記暗号化コンテンツを特定して再生可能とするために必要なデータを特定情報として生成する生成ステップ（例えば図４に示される処理）と、
前記生成ステップの処理で生成された前記暗号化コンテンツの中から、ムーブ対象範囲を前記暗号化単位コンテンツを単位として決定するムーブ範囲決定ステップ（例えば図１２のステップＳ１の処理）と、
前記ムーブ範囲決定ステップの処理で決定された前記ムーブ対象範囲に含まれる１以上の前記暗号化単位コンテンツのそれぞれに付された前記連番を示す連番情報と、前記生成ステップの処理で生成された前記特定情報との組を、コンテンツ情報として前記ムーブ元において保持させる保持ステップ（例えば図１２のステップＳ２の処理）と、
前記生成ステップの処理で生成された前記暗号化コンテンツのうちの、前記ムーブ範囲決定ステップの処理で決定された前記ムーブ対象範囲の部分を、前記生成ステップの処理で生成された前記特定情報とともに、前記ムーブ先にコピーするコピーステップ（例えば図１２のステップＳ３の処理）と、
前記生成ステップの処理で生成された前記暗号化コンテンツのうちの、少なくとも、前記ムーブ範囲決定処理により決定された前記ムーブ対象範囲の部分に対して、前記ムーブ元における状態を不活性状態にする不活性化ステップ（例えば図１２のステップＳ４乃至Ｓ６の処理）と
を含み、
前記情報処理装置が、ムーブアウトステップに含まれる各ステップの処理を所定の順番で個別に実行することを制御する。
【手続補正９】
【補正対象書類名】明細書
【補正対象項目名】００４９
【補正方法】変更
【補正の内容】
【００４９】
なお、図４乃至図１０において、ムーブ元機器として、従来のムーブ元機器１（図１参照）とは異なるムーブ元機器１０１が採用されている。即ち、ムーブ元機器１０１とは、本発明の手法が適用されたムーブ元機器、換言すると、本発明が適用される情報処理装置の一実施の形態である。なお、ムーブ元機器１０１の具体的な構成例や処理例については、図１１乃至図１３を参照して後述する。これに対して、ムーブ先機器として、従来のムーブ先機器２−Ａ，２−Ｂがそのまま採用されている。なお、従来のムーブ先機器２−Ａ，２−Ｂが採用されている理由は、従来の手法と本発明の手法との比較を容易にするためであり、ムーブ先は、当然ながら、従来のムーブ先機器２−Ａ，２−Ｂに限定されず、例えば、本発明が適用される他の情報処理装置であってもよいし、所定の記録媒体であってもよい。
【手続補正１０】
【補正対象書類名】明細書
【補正対象項目名】００７０
【補正方法】変更
【補正の内容】
【００７０】
例えば、ムーブ先機器２−Ａから暗号化部分１２１−１のムーブバックを行う場合、先ず図８に示されるように、ムーブ元機器１０１は、コンテンツ情報１４１−Ａの連番情報１５１−Ａと、ムーブ先機器２−Ａの暗号化部分１２１−１を構成する各暗号化単位コンテンツの各連番とを照合し、またコンテンツ情報１４１−Ａの特定情報１２２と、ムーブ先機器２−Ａの特定情報１２２との照合を行う。
【手続補正１１】
【補正対象書類名】明細書
【補正対象項目名】００７１
【補正方法】変更
【補正の内容】
【００７１】
図８の例では、コンテンツ情報１４１−Ａの連番情報１５１−Ａは連番[0]乃至[j]を示し、ムーブ先機器２−Ａの暗号化部分１２１−１の各暗号化単位コンテンツの各連番[0]乃至[j]と一致する。また、コンテンツ情報１４１−Ａの特定情報１２２と、ムーブ先機器２−Ａの特定情報１２２とは同一情報である。従って、この照合に成功するとことになる。
【手続補正１２】
【補正対象書類名】明細書
【補正対象項目名】００７７
【補正方法】変更
【補正の内容】
【００７７】
図１１の例のムーブ元機器１０１は、例えば、内蔵する記憶部３０６または外部のリムーバブルメディア３０８をムーブ元として、そのムーブ元に保持されている暗号化コンテンツの全部または一部分をムーブ対象として、ムーブ先機器２−Ａ，２−Ｂとの間でムーブアウトやムーブバックを行うことができる。なお、ムーブ先は、上述したように、ムーブ先機器２−Ａ，２−Ｂに限定されない。具体的には例えば、ムーブ元が記憶部３０６である場合には、リムーバブルメディア３０８をムーブ先とすることも可能である。
【手続補正１３】
【補正対象書類名】明細書
【補正対象項目名】００８４
【補正方法】変更
【補正の内容】
【００８４】
或いは、通信制御部３０４は、i.LINKの代わりに、USB（Universal Serial Bus）等の別のインタフェースを利用して、上述した通信制御を実現させてもよい。
【手続補正１４】
【補正対象書類名】明細書
【補正対象項目名】００９９
【補正方法】変更
【補正の内容】
【００９９】
これに対して、ステップＳ４において、タイトル全体を不活性化すると判定した場合、制御部３０１は、ステップＳ６において、コンテンツ処理部３０５を制御して、タイトルのうちの「全て」の部分を再生不可（不活性）状態にする。これにより、処理はステップＳ７に進む。
【手続補正１５】
【補正対象書類名】明細書
【補正対象項目名】０１１３
【補正方法】変更
【補正の内容】
【０１１３】
ステップＳ２６において、タイトル全体がまだムーブバックされていないと判定した場合、制御部３０１は、ステップＳ２７において、コンテンツ処理部３０５を制御して、ムーブバックされた範囲の「再生権利」を戻す。これにより、ムーブバック処理は終了となる。
【手続補正１６】
【補正対象書類名】明細書
【補正対象項目名】０１１４
【補正方法】変更
【補正の内容】
【０１１４】
これに対して、ステップＳ２６において、タイトル全体がムーブバックされたと判定した場合、制御部３０１は、ステップＳ２８において、コンテンツ処理部３０５を制御して、タイトル全体を再生可能（活性）状態にする。これにより、ムーブバック処理は終了となる。